(57)【要約】      （修正有）【課題】ラップフィルムを収納箱からスムーズに引き出すことができ、さらにラップフィルムと適度に粘着して引き剥がしも容易なラップフィルム引出具を提供する。【解決手段】収納箱の短手方向に対して二つ折り可能な長板状に形成されたラップフィルム引出具１の両側内面の長手方向の全面に渡って密着層５を形成する。密着層５はポリ塩化ビニリデン、ポリエチレン等のフィルムを使用し、弾性体であるスポンジ層６を備えた両面テープを使用して貼付する。【選択図】図２
0003164479.tif 000002
【実用新案登録請求の範囲】
【請求項１】
収納箱内にロール状に巻かれて収納された包装用ラップフィルムの引き出し側端縁に粘着させて、当該ラップフィルムを引き出す引出具であって、前記ラップフィルムに粘着される粘着面に当該ラップと同質の素材で密着層を形成したことを特徴とするラップフィルム引出具。
【請求項２】
密着層に弾性体を積層したことを特徴とする請求項１記載のラップフィルム引出具。
【考案の詳細な説明】
【技術分野】
【０００１】
本考案は食品等の包装に用いられるラップフィルムに関し、とくにその引出しに際して使用する引出具に関するものである。
【背景技術】
【０００２】
食品等の包装に用いられる包装用ラップフィルムは、一般に、紙筒に巻回された長尺フィルムのロールとして紙箱内に収納される。そして使用に際しては、ラップフィルムをロールから連続的に繰り出し、紙箱に設けられた切断刃を用いて所望の長さに切断して使用する。  
【０００３】
しかしながら、ラップフィルムは被包装物に付着し易い性質を有し、この性質は、密封包装する上で好ましい特徴である反面、ラップフィルム同士が局部的に重なり皺や捩れなどを生じ、取扱いを困難にする欠点でもある。  
【０００４】
そこで、ラップフィルムの端縁に着脱可能な粘着剤のついた棒状の器具で、ラップフィルムの引出しを行うようにしたものや（特許文献１参照）。ラップフィルム収納箱に収納されたラップフィルムの引出し側の端縁に粘着させて、前記ラップフィルムを引き出すラップフィルム引出具であって、ラップフィルムに粘着可能な粘着板と、前記粘着板をその長手方向に沿って延びる長辺側の端縁が突出するように表面及び裏面の両側から挟持する本体部とからなるラップフィルム引出具が開示されている（特許文献２参照。）。また、ラップフィルム等の幅と同等の長さで、やや強度のある細い短冊形の板または棒で、その両端の二箇所に、少量の粘着剤を付け、フィルムを収納箱から引き出す際、この板または棒にフィルムの先端部分を粘着させて引き出すものが提案されている（特許文献３）。  
【０００５】
【特許文献１】特開昭６３−１０５６２９号公報
【特許文献２】特許第３９７９５３７号公報
【特許文献３】実開平７−２８８４０号公報
【考案の概要】
【考案が解決しようとする課題】
【０００６】
しかしながら、従来のラップフィルム取出具を用いた場合には、以下のような問題が生じていた。ラップフィルム引出具は、ラップフィルムを引き出すためにある程度の粘着力を必要とするが、包装後にはラップフィルムから剥がす必要があるため、粘着力が強すぎてもよくない。しかし、粘着剤の物性の調整だけで適度な粘着力を得ることは甚だ困難である。すなわち、粘着剤自体の粘着力が強すぎるとラップフィルムが強く接着しすぎて剥離することが困難になる。また、粘着剤層には徐々に塵埃が付着し、ラップフィルムに対する粘着力が低下すると共に、不衛生になるという欠点がある。  
【０００７】
また、特許文献１に記載された発明のように、粘着剤を引出具本体の裏面に間隔を空けて付着させたものがあるが、これはラップフィルムを引き剥がすときのスムーズさに欠け、不規則にフィルムが破れるおそれがある。さらに、特許文献２に記載された発明のように、粘着剤を本体部の裏面の両端のみに付着させたものがあるが、これではラップの中央部分が引出具に粘着せずに浮いた状態となり、ラップフィルムをスムーズに引き出すことができない。  
【０００８】
本考案もまた上記従来技術の課題に鑑み、ラップフィルムを収納箱からスムーズに引き出すことができ、さらにラップフィルムと適度に密着して引き剥がしも容易なラップフィルム引出具を提供することを目的とする。
【課題を解決するための手段】
【０００９】
このため本考案のラップフィルム引出具は、収納箱内にロール状に巻かれて収納された包装用ラップフィルムの引き出し側端縁に粘着させて、当該ラップフィルムを引き出す引出具であって、前記ラップフィルムに粘着される粘着面に当該ラップと同質の素材で密着層を形成したことを第１の特徴とする。また、密着層に弾性体を積層したことを第２の特徴とする。
【考案の効果】
【００１０】
本考案によれば、ラップフィルム引出具の粘着面をラップと同質の素材で密着層を形成することによって、ラップフィルムの取り出しに際しては良好な粘着性を発揮し、スムーズな引き出しを行うことができ、かつ、密着層に弾性体を積層したことで、引出具全体にわたって押圧され、ラップ端の両隅が垂れることなく全体にわたって確実に粘着保持することができる。その結果、引き出し幅が短くてもラップを確実に切断することができ、引き出したラップ全体を均等にピンと張ることができる。このため切断刃による切れ味も良好になる。また、ラップと引出具は強力に接着されているわけではなく、表面同士が密着しているだけなので、ラッピングした後のラップフィルムを引出具から容易に剥がすことができ、かつラップの引き出し端がロール本体に巻き付くことを防止できる。
【図面の簡単な説明】
【００１１】
【図１】本考案に係るラップフィルム引出具の使用状態を示す斜視図である。
【図２】（ａ）は引出具の裏面を示す平面図、（ｂ）は（ａ）のＡ−Ａ線断面図である。
【図３】本考案に係るラップフィルム引出具の使用状態を示す斜視図である。
【図４】折蓋内にラップフィルム引出具を収納した状態を示す斜視図である。
【考案を実施するための形態】
【実施例】
【００１２】
以下、図面に示す実施例に基づいて本考案の実施の形態について詳細に説明する。  図１及び図２に示すように、本考案のラップフィルム収納箱２は、その折蓋２ａの先端に切断刃４が取り付けられている。尚、この切断刃４の取り付け位置は、収納箱２からラップフィルム３が引き出され、切断可能な場所であればどこでもよく特に限定されるものではない。ただ、一般的にはラップフィルム３を切断する際、収納箱２の前板２ｂとこの前板２ｂと重なる折蓋２ａとの間でラップフィルム３を挟んで、外側から折蓋２ａを押さえながら切断する仕様が好適に採用されている。  
【００１３】
収納箱２と同質の紙材で作られたラップフィルム引出具１は、収納箱２の短手方向に対して二つ折り可能な長板状に形成されている。尚、ラップフィルム引出具１の材質は、弾力性のある材質であれば、ラップフィルム３との密着時に全体が撓ることにより密着し易くなる。密着層５としては、ラップフィルム３と同質のフィルムを用いれば、塵埃や異物の付着により粘着力が低下しても、水で洗い流して乾燥させるだけで簡単に復元できるので清潔な状態で何回も使用できる。  
【００１４】
ラップフィルム３は、巻回ロールの形態で一般的に市販されている食品包装用ラップフィルムであり、ポリ塩化ビニリデン、ポリエチレン等の主材質からなる。この種のラップフィルムは、被包装物に付着又は密着する性質を有し、食品等の被包装物を密封保存するのに適しており、一般家庭における食品又は台所用品の日常的包装や、商工業的な食品包装材料として広く普及している。  
【００１５】
図２に示すように、ラップフィルム引出具１の裏面には、その全面に渡って密着層５が形成されている。この密着層５の材料としては、ラップフィルム３と同質の素材であるポリ塩化ビニリデン、ポリエチレン等のフィルムを使用し、弾性体であるスポンジ層６を備えた両面テープを使用して貼付する。そして、ラップフィルム３と密着層５の表面同士が適度に粘着し、ラップフィルム３の取り出しに際しては良好な粘着性を有し、スムーズな引き出しを行うことができ、かつ、被包装物をラッピングした後のラップフィルム３を引出具１から容易に剥がすことができる。  
【００１６】
すなわち、密着層５の材料をラップフィルム３と同質の素材したことにより、引出具１はラップフィルム３と密着し、引き出しに充分な粘着力は付与されるが、ラップフィルム３が強く接着し過ぎることがない。また、引出具１に塵埃が多量に付着し、ラップフィルム３の保持性が低下したり、不衛生になるという欠点も解消できる。さらに、ラッピングした後のラップフィルム３を引出具１から容易に引き剥がすことができる。  
【００１７】
以下にラップフィルム引出具１を用いて、フィルム収納箱２に収納されたラップフィルム３を引き出して、料理等をラッピングする方法について説明する。  
【００１８】
最初に、ラップフィルム３の引き出し側の端縁に、ラップフィルム引出具１の一方の内面を貼着させる。このとき、図２に示すように、ラップフィルム引出具１の内面にはラップフィルム３と同質の素材からなる密着層５が形成されており、この密着層５を人指により長手方向全体に渡って押圧する。とくにラップフィルム３の引き出し側の端縁左右両端は強く押圧して粘着させるのが好ましい。その際は、引出具１を直接押圧しても良いし、折蓋２ａの上から押圧しても良い。次に、図３に示すように、ラップフィルム引出具１を折畳んでラップフィルム３を挟持して引っ張って、ラップフィルム３を所望する長さだけ引き出し、料理皿等を覆った後、収納箱２に取付けられた切断刃４により切断する。最後に、ラップフィルム３を皿の形状に合わせて整えてラッピングが完了する。  
【００１９】
また、図４に示すように、ラップフィルム引出具１は、使用後にロールの始端に再びラップフィルム３に粘着させ、そのまま収納箱２の折蓋２ａに挟み込んでおけば、紛失を防止でき収納場所にも困らない。また、ラップの引き出し端がロール本体に巻き付くことを防止でき、次に使用する際にも引き出す切っ掛けを施した状態となり清潔で便利である。
【符号の説明】
【００２０】
１    ラップフィルム引出具
２    収納箱
２ａ  折蓋
２ｂ  前板
３    ラップフィルム
４    切断刃
５    密着層
６    スポンジ層（弾性体）
【図１】
0003164479.tif 000003
【図２】
0003164479.tif 000004
【図３】
0003164479.tif 000005
【図４】
0003164479.tif 000006